(57)【特許請求の範囲】
【請求項１】
電子機器を取り外し可能に受容し、受容した電子機器に対して給電や充電を行う充電台であって、
電子機器を取り外し可能に受容する筐体と、給電・充電回路が形成されていると共に、前記筐体内に固定される回路基板と、前記筐体が電子機器を受容したときに、電子機器に設けられた給電・充電接点に接触することにより、電子機器の被給電・充電回路と前記回路基板の前記給電・充電回路とを電気的に接続する片持ちバネ式の給電・充電端子とを有し、
前記給電・充電端子は、
弾性を有する金属線材を曲げ加工して成ると共に、前記回路基板に固定され、かつ、前記給電・充電回路に電気的に接続される固定部と、
片持ちバネの自由端側に形成され、電子機器の給電・充電接点に接触可能な接点部と、
前記給電・充電端子のバネ長を延長すべく前記固定部と前記接点部との間に形成されたコイル部とを備え、
前記筐体は、前記給電・充電端子の前記コイル部を受容することによって該コイル部の外径を保持するボックス部を備え、
前記ボックス部は、受容された前記給電・充電端子が該ボックス部から抜けないように前記コイル部の内径を保持する爪を備え、
前記コイル部が前記ボックス部内に保持されることによって前記筐体に仮止めされた前記給電・充電端子の前記回路基板への固定、もしくは、前記筐体に仮止めされた前記給電・充電端子が固定された前記回路基板の前記筐体への固定が、当該固定位置のズレを許容しつつなされることにより、前記給電・充電端子の寸法バラツキを吸収するように構成されていることを特徴とする充電台。
【請求項２】
前記回路基板は、前記給電・充電端子の前記固定部を受容する端子受容孔を備えており、該端子受容孔は、前記給電・充電端子の前記固定部と前記接点部とを結ぶ線分に沿った方向に拡大された長孔形状となっており、
前記回路基板が前記筐体に固定された後に、該筐体に仮止めされた前記給電・充電端子の前記固定部が、該回路基板の前記端子受容孔に挿通およびハンダ付けされることにより、該給電・充電端子は、該固定部の該端子受容孔に対する位置ズレを許容しつつ、該回路基板に固定される請求項１に記載の充電台。
【請求項３】
前記回路基板は、該回路基板を前記筐体にネジ止めするためのネジを挿通させるネジ止め孔を備えており、該ネジ止め孔は、前記給電・充電端子の前記固定部と前記接点部とを結ぶ線分に沿った方向に拡大された長孔形状となっており、
前記筐体に仮止めされた前記給電・充電端子の前記固定部が前記回路基板に固定された後に、該給電・充電端子と一体となった該回路基板が、前記ネジ止め孔を介して該筐体にネジ止めされることにより、該回路基板は、該給電・充電端子の該筐体に対する位置ズレを許容しつつ、該筐体に固定される請求項１に記載の充電台。
【請求項４】
前記筐体は、前記回路基板を、前記給電・充電端子の前記固定部と前記接点部とを結ぶ線分に沿った方向の移動を許しつつ、保持する爪部を備えており、
前記筐体に仮止めされた前記給電・充電端子の前記固定部が前記回路基板に固定された後に、該給電・充電端子と一体となった該回路基板が、該筐体の前記爪部によって保持されることにより、該回路基板は、該給電・充電端子の該筐体に対する位置ズレを許容しつつ、該筐体に固定される請求項１に記載の充電台。
【発明の詳細な説明】
【技術分野】
【０００１】
本発明は、スマートフォン、情報処理タブレット、携帯電話機等の携帯型または可搬型の電子機器を取り外し可能に受容し、受容した電子機器に対して給電や充電を行う装置である充電台に関する。
【背景技術】
【０００２】
充電ホルダやクレードルとも呼ばれるこの種の充電台は、電子機器を取り外し可能に受容（支持）する筐体と、筐体に内蔵され、給電・充電回路が搭載された回路基板とを有している。尚、充電台における給電・充電回路への電源供給は、筐体に内蔵された電源回路からなされるか、あるいは、充電台とは別体に用意されたＡＣアダプタ、ＤＣアダプタ、もしくは、パーソナルコンピュータに接続されたＵＳＢ（Universal Serial Bus）ケーブル等から、コネクタを介してなされようになっている。
【０００３】
この種の充電台はさらに、非接触式の充電台を除き、筐体が電子機器を受容したときに、電子機器に設けられた給電・充電接点に接触する給電・充電端子を備えている。筐体に受容された電子機器の給電・充電接点に給電・充電端子が接触することにより、充電台の給電・充電回路と、電子機器の被給電・充電回路とが電気的に接続され、充電台から電子機器に給電や充電がなされる。
【０００４】
ここで、充電台の給電・充電端子の形態の一つとして、片持ちバネ式の給電・充電端子がある。片持ちバネ式の給電・充電端子は、例えばコイルバネ付きのプローブ式等、他の端子形態に比べて構造が簡素であり、この種の充電台に多用されている。
【０００５】
片持ちバネ式の給電・充電端子は、弾性を有する金属線材を曲げ加工して成ると共に、給電・充電回路が形成された回路基板に固定され、かつ、給電・充電回路に電気的に接続される固定部と、片持ちバネの自由端側に形成され、電子機器の給電・充電接点に接触可能な接点部とを備えている。さらに、片持ちバネ式の給電・充電端子は、多くの場合、バネ長を延長することによって電子機器の給電・充電接点に対する接触力の適正化を図るため、固定部と接点部との間に形成されたコイル部をさらに備えている。
【０００６】
片持ちバネ式の給電・充電端子を有する充電台は、例えば、特許文献１に開示されている。特許文献１に開示された充電台において、片持ちバネ式の給電・充電端子は、固定部（他端部）と接点部との間に、コイル部を備えており、このコイル部は、円筒状のスペーサを介して主軸に挿通および保持されている。換言すれば、主軸は、スペーサを介してコイル部の内径（内周）を保持している。
【０００７】
また、特許文献２には、給電・充電端子ではなく、あくまでも、テープカセットの構造部品としてであるが、両端のアーム部と、両アーム部間に設けられたコイル部とを備えたバネが開示されている。特許文献２に開示されたテープカセットにおいて、このバネのコイル部は、カセット筐体の構成要素としての下ハーフに形成された井戸部内に挿入されると共に、同じくカセット筐体の構成要素としての上ハーフに押さえ付けられることによって保持されている。換言すれば、下ハーフの井戸部と上ハーフとは、コイル部の外径（外周）を保持している。
【先行技術文献】
【特許文献】
【０００８】
【特許文献１】特開２０１３−０１７３７６号公報
【特許文献２】特開平０８−００７５２３号公報
【発明の概要】
【発明が解決しようとする課題】
【０００９】
上記のような給電・充電端子をも含め、弾性線材を曲げ加工して成る片持ちバネは、量産した際に製品個々で、寸法にバラツキを生じる可能性がある。特に、バネ長を延長すべくコイル部を備えたバネは、寸法のバラツキが大きい傾向にある。
【００１０】
一方で、片持ちバネ式の給電・充電端子は、一般に、図６（ａ）に示されるように、固定部３１が回路基板（図示せず）に固定され、さらに、その回路基板が筐体（図示せず）に固定されるため、この固定部３１が、給電・充電端子の位置基準となる。この場合、上記のごとく片持ちバネ式の給電・充電端子の寸法にバラツキがあると、接触対象（電子機器の給電・充電接点）への作用点である接点部３２の位置（基準点から距離Ｓ）もバラつくことになる（公差ＴＳ）。その結果、充電台の使用時に、給電・充電端子３０が筐体に受容された電子機器の給電・充電接点に正しく接触せず、電気的な接続が正常になされないことになる。特に、近年の電子機器の薄型化に伴い、接触対象である給電・充電接点のサイズは狭小になって来ており、接点部の僅かな位置ズレでも正常な接触がなされないことになる。
【００１１】
このため、片持ちバネ式の給電・充電端子の寸法のバラツキを吸収でき、電子機器に対して正常に電気的な接続をなすことができる充電台が望まれている。
【００１２】
尚、特許文献１に開示された給電・充電端子は、図６（ａ）に示されたものとは異なり、コイル部の内径がシャフトによって保持されており、このコイル部が位置基準となっているかも知れない。しかし、特許文献１の図２等を見れば明らかなように、給電・充電端子周りが大変複雑な構造であるし、また、特許文献１は、片持ちバネ式の給電・充電端子の寸法のバラツキを吸収すべきことについてだけではなく、曲げ加工によって形成され、さらにコイル部を備えた片持ちバネ式の給電・充電端子の寸法のバラツキ自体についてすら、全く言及していない。
【００１３】
また、特許文献２に開示されたバネは、図６（ａ）に示されたものとは異なり、コイル部の外径が保持されており、このコイル部が位置基準となっているかも知れない。しかし、特許文献２のバネは、電気的な接続とは無関係の、あくまでもテープカセットの構造部品であり、また、特許文献２は、曲げ加工によって形成され、さらにコイル部を備えたバネの寸法のバラツキ自体についても、全く言及していない。
【００１４】
それ故、本発明の課題は、片持ちバネ式の給電・充電端子の寸法のバラツキを吸収でき、電子機器に対して正常に電気的な接続をなすことができる充電台を提供することである。
【課題を解決するための手段】
【００１５】
本発明によれば、電子機器を取り外し可能に受容し、受容した電子機器に対して給電や充電を行う充電台であって、電子機器を取り外し可能に受容する筐体と、給電・充電回路が形成されていると共に、前記筐体内に固定される回路基板と、前記筐体が電子機器を受容したときに、電子機器に設けられた給電・充電接点に接触することにより、電子機器の被給電・充電回路と前記回路基板の前記給電・充電回路とを電気的に接続する片持ちバネ式の給電・充電端子とを有し、前記給電・充電端子は、弾性を有する金属線材を曲げ加工して成ると共に、前記回路基板に固定され、かつ、前記給電・充電回路に電気的に接続される固定部と、片持ちバネの自由端側に形成され、電子機器の給電・充電接点に接触可能な接点部と、前記給電・充電端子のバネ長を延長すべく前記固定部と前記接点部との間に形成されたコイル部とを備え、前記筐体は、前記給電・充電端子の前記コイル部の外径および内径の少なくとも一方を保持するコイル保持部を備え、前記コイル部が前記コイル保持部に保持されることによって前記筐体に仮止めされた前記給電・充電端子の前記回路基板への固定、もしくは、前記筐体に仮止めされた前記給電・充電端子が固定された前記回路基板の前記筐体への固定が、当該固定位置のズレを許容しつつなされることにより、前記給電・充電端子の寸法バラツキを吸収するように構成されていることを特徴とする充電台が得られる。
【００１６】
前記コイル保持部は、前記給電・充電端子の前記コイル部を受容することによって該コイル部の前記外径を保持するボックス部、または、前記給電・充電端子の前記コイル部内を貫通することによって該コイル部の前記内径を保持するシャフト部であってもよい。前記コイル保持部が前記ボックス部である場合に、該ボックス部は、受容した前記給電・充電端子が該ボックス部から抜けないように前記コイル部の内径を保持する爪を備えていてもよい。
【００１７】
また、前記回路基板は、前記給電・充電端子の前記固定部を受容する端子受容孔を備えており、該端子受容孔は、前記給電・充電端子の前記固定部と前記接点部とを結ぶ線分に沿った方向に拡大された長孔形状となっており、前記回路基板が前記筐体に固定された後に、該筐体に仮止めされた前記給電・充電端子の前記固定部が、該回路基板の前記端子受容孔に挿通およびハンダ付けされることにより、該給電・充電端子は、該固定部の該端子受容孔に対する位置ズレを許容しつつ、該回路基板に固定されるものであってもよい。
【００１８】
あるいは、前記回路基板は、該回路基板を前記筐体にネジ止めするためのネジを挿通させるネジ止め孔を備えており、該ネジ止め孔は、前記給電・充電端子の前記固定部と前記接点部とを結ぶ線分に沿った方向に拡大された長孔形状となっており、前記筐体に仮止めされた前記給電・充電端子の前記固定部が前記回路基板に固定された後に、該給電・充電端子と一体となった該回路基板が、前記ネジ止め孔を介して該筐体にネジ止めされることにより、該回路基板は、該給電・充電端子の該筐体に対する位置ズレを許容しつつ、該筐体に固定されるものであってもよい。
【００１９】
もしくは、前記筐体は、前記回路基板を、前記給電・充電端子の前記固定部と前記接点部とを結ぶ線分に沿った方向の移動を許しつつ、保持する爪部を備えており、前記筐体に仮止めされた前記給電・充電端子の前記固定部が前記回路基板に固定された後に、該給電・充電端子と一体となった該回路基板が、該筐体の前記爪部によって保持されることにより、該回路基板は、該給電・充電端子の該筐体に対する位置ズレを許容しつつ、該筐体に固定されるものであってもよい。
【発明の効果】
【００２０】
本発明による充電台は、片持ちバネ式の給電・充電端子の寸法のバラツキを吸収でき、電子機器に対して正常に電気的な接続をなすことができる。
【図面の簡単な説明】
【００２１】
【図１】本発明の実施例１に係る充電台を示す分解斜視図である。
【図２】図１に示された充電台の要部を示す図であり、（ａ）は図２（ｂ）における切断線２Ａ−２Ａに沿った断面図、（ｂ）は底面側から見た平面図、（ｃ）は図２（ｂ）における切断線２Ｃ−２Ｃに沿った断面図である。
【図３】（ａ）〜（ｃ）は、図１に示された充電台の組み立て方法を説明するための工程図である。
【図４】本発明の実施例２に係る充電台を示す分解斜視図である。
【図５】本発明の実施例３に係る充電台を示す分解斜視図である。
【図６】片持ちバネ式の給電・充電端子の位置基準と寸法バラツキの関係を示す図であり、（ａ）は関連技術における位置基準と寸法バラツキを示し、（ｂ）本願発明における位置基準と寸法バラツキを示す。
【発明を実施するための形態】
【００２２】
本発明による充電台は、スマートフォン等の携帯型または可搬型の電子機器を取り外し可能に受容し、受容した電子機器に対して給電や充電を行う充電台であって、筐体と、給電・充電回路が形成された回路基板と、片持ちバネ式の給電・充電端子とを有している。
【００２３】
筐体は、電子機器を取り外し可能に受容する。回路基板は、筐体内に固定される。給電・充電端子は、筐体が電子機器を受容したときに、電子機器に設けられた給電・充電接点に接触することにより、電子機器の被給電・充電回路と回路基板の給電・充電回路とを電気的に接続する。
【００２４】
給電・充電端子は、弾性を有する金属線材を曲げ加工して成ると共に、固定部と、接点部と、コイル部とを備えている。固定部は、回路基板に固定され、かつ、給電・充電回路に電気的に接続される。接点部は、片持ちバネの自由端側に形成され、電子機器の給電・充電接点に接触可能である。コイル部は、給電・充電端子のバネ長を延長すべく固定部と接点部との間に形成されている。
【００２５】
特に、本充電台において、筐体は、給電・充電端子のコイル部の外径および内径の少なくとも一方を保持するコイル保持部を備えている。
【００２６】
また、本充電台は、コイル部がコイル保持部に保持されることによって筐体に仮止めされた給電・充電端子の回路基板への固定、もしくは、筐体に仮止めされた給電・充電端子が固定された回路基板の筐体への固定が、その固定位置のズレを許容しつつなされることにより、給電・充電端子の寸法バラツキを吸収するように構成されている。
【００２７】
図６（ｂ）に示されるように、本充電台における給電・充電端子３０は、コイル部３３が筐体（図示せず）のコイル保持部によって保持されるため、コイル部３３が、給電・充電端子の位置基準となる。この場合、片持ちバネ式の給電・充電端子の寸法にバラツキがあったとしても、接触対象（電子機器の給電・充電接点）への作用点である接点部３２の位置（基準点から距離ｓ１）もバラつく（公差Ｔｓ１）ことになる。また、固定部３１の位置（基準点から距離ｓ２）もバラつく（公差Ｔｓ２）ことになる。ここで、接点部３２の位置（基準点から距離ｓ１）もバラつき（公差Ｔｓ１）は、図６（ａ）に示された関連技術による給電・充電端子３０の接点部３２の位置（基準点から距離Ｓ）のバラつき（公差ＴＳ）に比べて小さい。よって、関連技術に比べ、本充電台の使用時に、給電・充電端子３０が筐体に受容された電子機器の給電・充電接点に正しく接触せずに電気的な接続が正常になされない虞が低減される。このことは、近年の電子機器の薄型化に伴う、接触対象である給電・充電接点のサイズは狭小化に対しても、有意義なことである。
【００２８】
尚、図６（ｂ）に示された本充電台においては、図６（ａ）に示された関連技術と異なり、固定部３１の位置（基準点から距離ｓ２）がバラつく（公差Ｔｓ２）ことになるが、そのバラつきは、図６（ａ）に示された関連技術のバラつき（公差ＴＳ）よりも小さいことに加え、筐体に仮止めされた給電・充電端子３０の回路基板（図示せず）への固定、もしくは、筐体に仮止めされた給電・充電端子３０が固定された回路基板の筐体への固定が、その固定位置のズレを許容しつつなされることにより、固定部３１の位置（基準点から距離ｓ２）のバラつき（公差Ｔｓ２）は吸収される。
【００２９】
上記構成により、本発明による充電台は、給電・充電端子がコイル部を備え、バネ長が比較的長いけれども、図６（ａ）に示された関連技術に比べ、バラツキが小さく、片持ちバネ式の給電・充電端子の寸法のバラツキを吸収でき、電子機器と正常に電気的な接続をなすことができる。
【００３０】
また、コイル保持部によって給電・充電端子を筐体に仮止めすることが可能であり、治具を用意および使用することなく、容易に組み立てることができる。
【００３１】
よって、給電・充電端子固定用部品や治具を使用しなくても給電・充電端子を基板固定できるため、部品コスト、組立工数、治具作成コストが削減できる。
【００３２】
以下、図面を参照して、本発明に係る充電台のより具体的な実施例を説明する。
【実施例１】
【００３３】
図１および図２を参照すると、本発明の実施例１に係る充電台は、スマートフォン等の携帯型または可搬型の電子機器（図示せず）を取り外し可能に受容し、受容した電子機器に対して給電や充電を行う充電台であって、筐体１０と、給電・充電回路（図示せず）が形成された回路基板２０と、正極および負極としての２個の片持ちバネ式の給電・充電端子３０とを有している。尚、外部から本充電台における給電・充電回路に電源供給をするためのコネクタや、筐体１０の底面を覆うボトムカバー、後述するネジ止め箇所に用いるネジ等については、説明の便宜上、図示を省略している。
【００３４】
筐体１０は、電子機器を取り外し可能に受容する。また、回路基板２０は、筐体１０内に固定される。尚、回路基板２０において、図示を省略しているが、給電・充電回路を構成する電子部品は、図１中、上側面に搭載されている。他方、回路基板２０の図１中、下側面は、平坦であると共に、下側面のうち、少なくとも給電・充電端子３０に接するか臨む領域には、絶縁層または絶縁フィルムが設けられている。
【００３５】
給電・充電端子３０は、筐体１０が電子機器を受容したときに、電子機器に設けられた給電・充電接点に接触することにより、電子機器の被給電・充電回路と回路基板２０の給電・充電回路とを電気的に接続する。
【００３６】
給電・充電端子３０は、弾性を有する金属線材を曲げ加工して成ると共に、固定部３１と、接点部３２と、コイル部３３とを備えている。固定部３１は、回路基板２０に固定され、かつ、給電・充電回路に電気的に接続される。接点部３２は、片持ちバネの自由端側に形成され、電子機器の給電・充電接点に接触可能である。コイル部３３は、給電・充電端子のバネ長を延長すべく固定部３１と接点部３２との間に形成されている。
【００３７】
さて、本充電台において、筐体１０は、給電・充電端子３０のコイル部３３の外径（外周）または内径（内周）を保持するコイル保持部を備えている。コイル保持部は、本充電台の給電・充電端子の位置基準として機能する他に、本充電台の組み立て工程中には、給電・充電端子の仮止め手段としても機能するものである。
【００３８】
より具体的には、本実施例において、筐体１０は、コイル保持部として、給電・充電端子３０のコイル部３３の外径を保持するボックス部１７を備えている。さらに、ボックス部１７は、仮止め時をも含め、受容した給電・充電端子３０（のコイル部３３）がボックス部１７から抜けないようにコイル部３３の内径を保持する爪１７ｃを備えている（図２（ａ）、（ｃ））。
【００３９】
さらに、本充電台は、コイル部３３がボックス部１７に保持されることによって筐体１０に仮止めされた給電・充電端子３０の回路基板２０への固定が、その固定位置のズレを許容しつつなされることにより、給電・充電端子３０の寸法バラツキを吸収するように構成されている。
【００４０】
より具体的には、本実施例において、回路基板２０は、給電・充電端子３０の寸法バラツキを吸収する構成として、給電・充電端子３０の固定部３１を受容する端子受容孔２２ｅ（図１）を備えている。端子受容孔２２ｅは、給電・充電端子３０の固定部３１と接点部３２とを結ぶ線分に沿った方向Ａに拡大された長孔形状となっている。尚、図示はしないが、端子受容孔２２ｅの周囲には、給電・充電端子３０の固定部３１とをハンダ付けするための導体ランドが形成されており、この導体ランドは、回路基板２０上に形成された給電・充電回路に電気的に接続されている。
【００４１】
これにより、回路基板２０が筐体１０の４本のボス１６にネジ止め固定された後に（ネジは図示せず）、筐体１０に仮止めされた給電・充電端子３０の固定部３１が、長孔形状の端子受容孔２２ｅに挿通およびハンダ付けされることにより、給電・充電端子３０は、固定部３１の端子受容孔２２ｅに対する位置ズレを許容しつつ、回路基板２０に固定される。
【００４２】
次に、図１および図２に図３（ａ）〜（ｃ）を併せ参照して、本充電台の組み立て方法の要点を説明する。
【００４３】
図３（ａ）に示されるように、２個の給電・充電端子３０（１個のみ、図示）はそれぞれのコイル部３３が、筐体１０のボックス部１７に挿入される。
【００４４】
コイル部３３が筐体１０のボックス部１７に挿入されると、図３（ｂ）に示されるように、コイル部３３の外径がボックス部１７の内壁面によって保持されると共に、コイル部３３の内径が爪１７ｃによって保持され、給電・充電端子３０が筐体１０に仮止めされた状態が維持される。仮止めされた給電・充電端子３０は、当該片持ちバネの自由端が、筐体１０の内側面に形成された座部１４に、所定のバイアス圧力で当接すると共に、接点部３２が、筐体１０に形成されたスリット１３を介して筐体１０の外部に突出する。
【００４５】
次いで、図３（ｃ）に示されるように、回路基板２０が、ネジ止め孔２１（図１）を介して筐体１０の４本のボス１６（１本のみ図示）に図示しないネジを用いてネジ止めされる。この後、筐体１０に仮止めされた給電・充電端子３０の固定部３１が、長孔形状の端子受容孔２２ｅに挿通およびハンダ付けされることにより、給電・充電端子３０は、固定部３１の端子受容孔２２ｅに対する位置ズレを許容しつつ、回路基板２０に固定される。
【００４６】
その後、筐体１０に、図示しないボトムパネルを取り付ける工程等を経て、本充電台の組み立てが完了する。
【実施例２】
【００４７】
本発明の実施例２に係る充電台は、給電・充電端子の寸法バラツキを吸収する構成が、実施例１と異なっている。このため、実施例１と同一または同様の部分については、実施例１における説明および図面を援用することとし、詳細な説明は省略する。
【００４８】
図４を参照すると、本発明の実施例２に係る充電台は、実施例１と同様に、筐体１０と、給電・充電回路（図示せず）が形成された回路基板２０’と、正極および負極としての２個の片持ちバネ式の給電・充電端子３０とを有している。尚、外部から本充電台における給電・充電回路に電源供給をするためのコネクタや、筐体１０の底面を覆うボトムカバー、後述するネジ止め箇所に用いるネジ等については、説明の便宜上、図示を省略している。
【００４９】
筐体１０は、電子機器を取り外し可能に受容する。また、回路基板２０’は、筐体１０内に固定される。尚、回路基板２０’において、図示を省略しているが、給電・充電回路を構成する電子部品は、図４中、上側面に搭載されている。他方、回路基板２０’の図４中、下側面は、平坦であると共に、下側面のうち、少なくとも給電・充電端子３０に接するか臨む領域には、絶縁層または絶縁フィルムが設けられている。
【００５０】
給電・充電端子３０は、筐体１０が電子機器を受容したときに、電子機器に設けられた給電・充電接点に接触することにより、電子機器の被給電・充電回路と回路基板２０’の給電・充電回路とを電気的に接続する。
【００５１】
給電・充電端子３０は、弾性を有する金属線材を曲げ加工して成ると共に、固定部３１と、接点部３２と、コイル部３３とを備えている。固定部３１は、回路基板２０’に固定され、かつ、給電・充電回路に電気的に接続される。接点部３２は、片持ちバネの自由端側に形成され、電子機器の給電・充電接点に接触可能である。コイル部３３は、給電・充電端子のバネ長を延長すべく固定部３１と接点部３２との間に形成されている。
【００５２】
本充電台においても、筐体１０は、給電・充電端子３０のコイル部３３の外径（外周）または内径（内周）を保持するコイル保持部を備えている。コイル保持部は、本充電台の給電・充電端子の位置基準として機能する他に、本充電台の組み立て工程中には、給電・充電端子の仮止め手段としても機能するものである。
【００５３】
より具体的には、本実施例において、筐体１０は、コイル保持部として、給電・充電端子３０のコイル部３３の外径を保持するボックス部１７を備えている。さらに、ボックス部１７は、仮止め時をも含め、受容した給電・充電端子３０（のコイル部３３）がボックス部１７から抜けないようにコイル部３３の内径を保持する爪（図示せず）を備えている。
【００５４】
さらに、コイル部３３がボックス部１７に保持されることによって筐体１０に仮止めされた給電・充電端子３０が固定された回路基板２０’の筐体１０への固定が、その固定位置のズレを許容しつつなされることにより、給電・充電端子３０の寸法バラツキを吸収するように構成されている。
【００５５】
より具体的には、本実施例において、回路基板２０’は、給電・充電端子３０の寸法バラツキを吸収する構成として、回路基板２０’を筐体１０にネジ止めするためのネジ（図示せず）を挿通させる４個のネジ止め孔２１ｅを備えている。ネジ止め孔２１ｅは、給電・充電端子３０の固定部３１と接点部３２とを結ぶ線分に沿った方向Ａに拡大された長孔形状となっている。
【００５６】
これにより、筐体１０に仮止めされた給電・充電端子３０の固定部３１が回路基板２０’の端子受容孔２２に挿通されると共に、端子受容孔２２ｅの周囲に形成された図示しない導体ランドにハンダ付けされることによって固定された後に、この給電・充電端子３０と一体となった回路基板２０’が、ネジ止め孔２１ｅを介して筐体１０の４本のボス１６にネジ止め固定されることにより（ネジは図示せず）、回路基板２０’は、給電・充電端子３０の筐体１０に対する位置ズレを許容しつつ、筐体１０に固定される。
【００５７】
次に、図４を参照して本充電台の組み立て方法の要点を説明する。
【００５８】
まず、２個の給電・充電端子３０はそれぞれのコイル部３３が、筐体１０のボックス部１７に挿入される。
【００５９】
コイル部３３が筐体１０のボックス部１７に挿入されると、コイル部３３の外径がボックス部１７の内壁面によって保持されると共に、コイル部３３の内径が爪（図示せず）によって保持され、給電・充電端子３０が筐体１０に仮止めされた状態が維持される。仮止めされた給電・充電端子３０は、当該片持ちバネの自由端が、筐体１０の内側面に形成された座部１４に、所定のバイアス圧力で当接すると共に、接点部３２が、筐体１０に形成されたスリット１３を介して筐体１０の外部に突出する。
【００６０】
次いで、筐体１０に仮止めされた給電・充電端子３０の固定部３１が回路基板２０’の端子受容孔２２に挿通およびハンダ付けされることによって固定される。この後、この給電・充電端子３０と一体となった回路基板２０’が、ネジ止め孔２１ｅを介して筐体１０の４本のボス１６にネジ止め固定されることにより、回路基板２０’は、給電・充電端子３０の筐体１０に対する位置ズレを許容しつつ、筐体１０に固定される。
【００６１】
その後、筐体１０に、図示しないボトムパネルを取り付ける工程等を経て、本充電台の組み立てが完了する。
【実施例３】
【００６２】
本発明の実施例３に係る充電台は、筐体が備えている、給電・充電端子のコイル部を保持するコイル保持部の構造が、実施例１、２と異なっている。このため、実施例１、２と同一または同様の部分については、実施例１、２における説明および図面を援用することとし、詳細な説明は省略する。
【００６３】
図５を参照すると、本発明の実施例３に係る充電台は、実施例１、２と同様に、筐体１０’と、給電・充電回路（図示せず）が形成された回路基板２０と、正極および負極としての２個の片持ちバネ式の給電・充電端子３０とを有している。尚、外部から本充電台における給電・充電回路に電源供給をするためのコネクタや、筐体１０’の底面を覆うボトムカバー、後述するネジ止め箇所に用いるネジ等については、説明の便宜上、図示を省略している。
【００６４】
筐体１０’は、電子機器を取り外し可能に受容する。また、回路基板２０は、筐体１０’内に固定される。尚、回路基板２０において、図示を省略しているが、給電・充電回路を構成する電子部品は、図５中、上側面に搭載されている。他方、回路基板２０の図５中、下側面は、平坦であると共に、下側面のうち、少なくとも給電・充電端子３０に接するか臨む領域には、絶縁層または絶縁フィルムが設けられている。
【００６５】
給電・充電端子３０は、筐体１０’が電子機器を受容したときに、電子機器に設けられた給電・充電接点に接触することにより、電子機器の被給電・充電回路と回路基板２０の給電・充電回路とを電気的に接続する。
【００６６】
給電・充電端子３０は、弾性を有する金属線材を曲げ加工して成ると共に、固定部３１と、接点部３２と、コイル部３３とを備えている。固定部３１は、回路基板２０に固定され、かつ、給電・充電回路に電気的に接続される。接点部３２は、片持ちバネの自由端側に形成され、電子機器の給電・充電接点に接触可能である。コイル部３３は、給電・充電端子のバネ長を延長すべく固定部３１と接点部３２との間に形成されている。
【００６７】
本充電台においても、筐体１０’は、給電・充電端子３０のコイル部３３の外径（外周）または内径（内周）を保持するコイル保持部を備えている。コイル保持部は、本充電台の給電・充電端子の位置基準として機能する他に、本充電台の組み立て工程中には、給電・充電端子の仮止め手段としても機能するものである。
【００６８】
より具体的には、本実施例において、筐体１０’は、コイル保持部として、給電・充電端子３０のコイル部３３の内径を保持するシャフト部１９を備えている。
【００６９】
尚、図示はしないが、仮止め時をも含め、シャフト部１９に挿通させた給電・充電端子３０（のコイル部３３）がシャフト部１９から抜けないように、給電・充電端子３０のシャフト部１９への挿通を許す一方、抜けを規制する爪部を、筐体１０’のフャフト部１９付近に形成するようにしてもよい。あるいは、仮止め時には有効ではないが、回路基板２０を筐体１０’に固定した時に、シャフト部１９の先端に位置して給電・充電端子３０の抜けを規制するように、回路基板２０上に金属板を他の搭載電子部品と同一工程でハンダ付けして予め設けておくか、あるいは、回路基板２０上に樹脂製の板を楔部の圧入によって予め取り付けておくようにしてもよい。
【００７０】
さらに、本充電台は、コイル部３３がボックス部１７に保持されることによって筐体１０に仮止めされた給電・充電端子３０の回路基板２０への固定が、その固定位置のズレを許容しつつなされることにより、給電・充電端子３０の寸法バラツキを吸収するように構成されている。
【００７１】
より具体的には、本実施例においては、実施例１と同様に、回路基板２０は、給電・充電端子３０の寸法バラツキを吸収する構成として、給電・充電端子３０の固定部３１を受容する端子受容孔２２ｅ（図１）を備えている。端子受容孔２２ｅは、給電・充電端子３０の固定部３１と接点部３２とを結ぶ線分に沿った方向Ａに拡大された長孔形状となっている。尚、図示はしないが、端子受容孔２２ｅの周囲には、給電・充電端子３０の固定部３１とをハンダ付けするための導体ランドが形成されており、この導体ランドは、回路基板２０上に形成された給電・充電回路に電気的に接続されている。
【００７２】
これにより、回路基板２０が筐体１０の４本のボス１６にネジ止め固定された後に（ネジは図示せず）、筐体１０に仮止めされた給電・充電端子３０の固定部３１が、長孔形状の端子受容孔２２ｅに挿通およびハンダ付けされることにより、給電・充電端子３０は、固定部３１の端子受容孔２２ｅに対する位置ズレを許容しつつ、回路基板２０に固定される。
【００７３】
次に、図５を参照して本充電台の組み立て方法の要点を説明する。
【００７４】
まず、２個の給電・充電端子３０はそれぞれのコイル部３３が、筐体１０’のシャフト部１９に挿通される。
【００７５】
コイル部３３が筐体１０’のシャフト部１９に挿通されると、コイル部３３の内径がシャフト部１９の外周面によって保持され、給電・充電端子３０が筐体１０’に仮止めされた状態が維持される。仮止めされた給電・充電端子３０は、当該片持ちバネの自由端が、筐体１０’の内側面に形成された座部１４に、所定のバイアス圧力で当接すると共に、接点部３２が、筐体１０’に形成されたスリット１３を介して筐体１０’の外部に突出する。
【００７６】
次いで、回路基板２０が、ネジ止め孔２１を介して筐体１０’の４箇所のネジ孔部１８に図示しないネジを用いてネジ止めされる。この後、筐体１０’に仮止めされた給電・充電端子３０の固定部３１が、長孔形状の端子受容孔２２ｅに挿通およびハンダ付けされることにより、給電・充電端子３０は、固定部３１の端子受容孔２２ｅに対する位置ズレを許容しつつ、回路基板２０に固定される。
【００７７】
その後、筐体１０’に、図示しないボトムパネルを取り付ける工程等を経て、本充電台の組み立てが完了する。
【００７８】
尚、本実施例においては、給電・充電端子の寸法バラツキを吸収する構成を実施例１と同様としたが（長孔形状の端子受容孔２２ｅ）、を実施例２と同様に構成し（長孔形状のネジ止め孔）、実施例２と同様の順序で組み立てるようにしてもよい。
【実施例４】
【００７９】
本発明の実施例４による充電台は、給電・充電端子の寸法バラツキを吸収する構成が、実施例１〜３と異なっている。このため、実施例１〜３と同一または同様の部分については、実施例１における説明および図面を援用することとし、詳細な説明は省略する。
【００８０】
図示はしないが、本発明の実施例４に係る充電台は、実施例１〜３と同様に、筐体と、給電・充電回路が形成された回路基板と、正極および負極としての２個の片持ちバネ式の給電・充電端子とを有している。
【００８１】
筐体は、電子機器を取り外し可能に受容する。また、回路基板は、筐体内に固定される。
【００８２】
給電・充電端子は、筐体が電子機器を受容したときに、電子機器に設けられた給電・充電接点に接触することにより、電子機器の被給電・充電回路と回路基板の給電・充電回路とを電気的に接続する。
【００８３】
給電・充電端子は、弾性を有する金属線材を曲げ加工して成ると共に、固定部と、接点部と、コイル部とを備えている。固定部は、回路基板に固定され、かつ、給電・充電回路に電気的に接続される。接点部は、片持ちバネの自由端側に形成され、電子機器の給電・充電接点に接触可能である。コイル部は、給電・充電端子のバネ長を延長すべく固定部と接点部との間に形成されている。
【００８４】
本充電台においても、筐体は、給電・充電端子のコイル部の外径（外周）または内径（内周）を保持するコイル保持部を備えている。コイル保持部は、本充電台の給電・充電端子の位置基準として機能する他に、本充電台の組み立て工程中には、給電・充電端子の仮止め手段としても機能するものである。
【００８５】
より具体的には、本実施例においては、実施例１、２と同様に、筐体は、コイル保持部として、給電・充電端子のコイル部の外径を保持するボックス部を備えている。さらに、ボックス部は、仮止め時をも含め、受容した給電・充電端子（のコイル部）がボックス部から抜けないようにコイル部の内径を保持する爪を備えている。
【００８６】
さらに、コイル部がボックス部に保持されることによって筐体に仮止めされた給電・充電端子が固定された回路基板の筐体への固定が、その固定位置のズレを許容しつつなされることにより、給電・充電端子の寸法バラツキを吸収するように構成されている。
【００８７】
より具体的には、本実施例においては、給電・充電端子の寸法バラツキを吸収する構成として、筐体は、回路基板を、給電・充電端子の固定部と接点部とを結ぶ線分に沿った方向の移動を許しつつ、保持する爪部を備えている。
【００８８】
これにより、筐体に仮止めされた給電・充電端子の固定部が回路基板の端子受容孔に固定（挿入およびハンダ付け）された後に、給電・充電端子と一体となった回路基板が、前述した筐体の爪部によって保持されることにより、回路基板は、給電・充電端子の筐体に対する位置ズレを許容しつつ、筐体に固定される。本実施例では、ネジを用いることなく、回路基板を筐体に取り付けすることができる。
【００８９】
次に、本充電台の組み立て方法の要点を説明する。
【００９０】
まず、２個の給電・充電端子はそれぞれのコイル部が、筐体のボックス部に挿入される。
【００９１】
コイル部が筐体のボックス部に挿入されると、コイル部の外径がボックス部の内壁面によって保持されると共に、コイル部の内径が爪によって保持され、給電・充電端子が筐体に仮止めされた状態が維持される。仮止めされた給電・充電端子は、当該片持ちバネの自由端が、筐体の内側面に形成された座部に、所定のバイアス圧力で当接すると共に、接点部が、筐体に形成されたスリットを介して筐体の外部に突出する。
【００９２】
次いで、筐体に仮止めされた給電・充電端子の固定部が回路基板の端子受容孔に挿通およびハンダ付けされることによって固定される。この後、この給電・充電端子と一体となった回路基板が、前述した筐体の爪部によって保持されることにより、回路基板は、給電・充電端子の筐体に対する位置ズレを許容しつつ、筐体に固定される。
【００９３】
その後、筐体に、図示しないボトムパネルを取り付ける工程等を経て、本充電台の組み立てが完了する。
【００９４】
尚、本実施例においては、給電・充電端子のコイル部を保持するコイル保持部の構造を実施例１、２と同様としたが（ボックス部）、を実施例３と同様に構成してもよい（シャフト部）。
【産業上の利用可能性】
【００９５】
以上説明した実施例に限定されることなく、本発明は、特許請求の範囲に記載された技術範囲内であれば、種々の変形が可能であることは云うまでもない。
【００９６】
例えば、本発明は、スマートフォン、情報処理タブレット、携帯電話機用の充電台に限定されず、携帯ゲーム機、携帯型音声／映像再生機、携帯型ナビゲーション装置、デジタルカメラ、ＰＤＡ（Personal Digital Assistance）、あるいは、ＰＯＳ（Point Of Sales）システムにおけるハンディータミナル、オーダーエントリー端末、またはラベラー等、携帯型、可搬型の電子機器用の充電台全般に適用可能である。
【符号の説明】
【００９７】
１０、１０’  筐体
１３    スリット
１４    座部
１６    ボス
１７    ボックス部
１７ｃ  爪
１８    ネジ孔部
１９    シャフト部
２０、２０’  回路基板
２１    ネジ止め孔
２１ｅ  ネジ止め孔（長孔形状）
２２    端子受容孔
２２ｅ  端子受容孔（長孔形状）
３０    給電・充電端子
３１    固定部
３２    接点部
３３    コイル部
【図１】
0005907567.tif 000002
【図２】
0005907567.tif 000003
【図３】
0005907567.tif 000004
【図４】
0005907567.tif 000005
【図５】
0005907567.tif 000006
【図６】
0005907567.tif 000007